(57)【要約】【課題】画像表示装置の部品形状を簡単にすることでコストを抑える。【解決手段】表示パネルと、前記表示パネルへ照射する光を発する発光手段と、前記発光手段と前記表示パネルとの間に配置される光学シートと、前記表示パネルを保持する第１の保持手段と、前記光学シートを保持する第２の保持手段と、を備え、前記第１の保持手段と前記第２の保持手段とは別部材であることを特徴とする画像表示装置。前記第１の保持手段は、前記表示パネルの表示面に固定される透明の前面板と、前記前面板を背面側から保持するフレームと、を含み、前記前面板が前記フレームに保持されることにより、前記前面板に固定された前記表示パネルが保持される。【選択図】図３
2015232651.tif 000002
【特許請求の範囲】
【請求項１】
表示パネルと、
前記表示パネルへ照射する光を発する発光手段と、
前記発光手段と前記表示パネルとの間に配置される光学シートと、
前記表示パネルを保持する第１の保持手段と、
前記光学シートを保持する第２の保持手段と、
を備え、前記第１の保持手段と前記第２の保持手段とは別部材であることを特徴とする画像表示装置。
【請求項２】
前記第１の保持手段は、
前記表示パネルの表示面に固定される透明の前面板と、
前記前面板を背面側から保持するフレームと、
を含み、前記前面板が前記フレームに保持されることにより、前記前面板に固定された前記表示パネルが保持される請求項１に記載の画像表示装置。
【請求項３】
前記第１の保持手段は、前記表示パネルを保持するパネルホルダである請求項１に記載の画像表示装置。
【請求項４】
前記第２の保持手段は、前記光学シートを保持するシートホルダである請求項１〜３のいずれか１項に記載の画像表示装置。
【請求項５】
前記シートホルダは、シート状の部材を加工することにより形成される請求項４に記載の画像表示装置。
【請求項６】
前記シートホルダは、
前記光学シートを前面側から支持する平面部と、
前記平面部から前記平面部の背面側へ伸びる段差部と、
前記段差部から前記平面部の外周側へ伸びるフランジ部と、
前記平面部に設けられ前記平面部から背面側へ屈曲し前記発光手段を収納するケースに固定する構造と、
を有する請求項５に記載の画像表示装置。
【請求項７】
前記シートホルダの前記フランジ部と前記発光手段を収納するケースのフランジ部とが固定される請求項６に記載の画像表示装置。
【請求項８】
前記シートホルダは、前記段差部において前記光学シートの自重を支持する請求項６又は７に記載の画像表示装置。
【請求項９】
前記光学シートは複数のシート部材を含み、
前記第２の保持手段は、
前記発光手段を収納するとともに前記光学シートを背面側から支持するケースと、
前記複数のシート部材のうち最前面側に配置されたシート部材に設けられ、前記最前面側のシート部材を前記ケースに固定する構造と、
を含み、前記最前面側のシート部材と前記ケースとにより、前記光学シートが保持される請求項１〜３のいずれか１項に記載の画像表示装置。
【請求項１０】
前記最前面側のシート部材と前記発光手段を収納するケースのフランジ部とが固定される請求項９に記載の画像表示装置。
【請求項１１】
前記発光手段を収納するケースは、前記光学シートの自重を支持する段差部を有する請求項９又は１０に記載の画像表示装置。
【発明の詳細な説明】
【技術分野】
【０００１】
本発明は画像表示装置に関するものである。
【背景技術】
【０００２】
画像表示装置の基本構造は面光源装置（バックライト装置）、表示パネル（液晶パネル等）、それらを支持する構造、電気回路部、さらに外装部を有する。業務用途の画像表示装置には、表示パネルの表示面に取り付けられ、外部からの衝撃や降雨による浸水から保護する透明の前面板を有するものがある。前面板を取り付けることによる表示画像の視認性の低下を抑制するために、特許文献１に開示の画像表示装置では、表示パネルと前面板との隙間に透明接着剤を配置した構造が提案されている。また、特許文献２に開示の画像表示装置では、前面板を画像表示装置の筺体に支持する構造が提案されている。
【０００３】
図１７は、特許文献２に記載の画像表示装置の要部断面図を示す図である。画像表示装置１００の表示面側は、表示パネル１０３Ａと前面板１０１が配置されており、表示パネル１０３Ａと前面板１０１とは透明接着剤（図示せず）で接着されている。表示パネル１０３の表示面とは反対側には、光源１０３Ｃ、ミドルシャーシ１０７、光学シート１０３Ｂ、導光板１０３Ｄが配置されている。ミドルシャーシ１０７は、光学シート１０３Ｂを固定するために、表示パネル１０３Ａの周囲に沿って設けられているものである。光源１０３Ｃ及び光学シート１０３Ｂ、導光板１０３Ｄはバックシャーシ１０８により収納されている。前面板１０１の周囲に取付枠１０２が両面接着テープ（図示せず）により接着されている。バックシャーシ１０８と取付枠１０２を固定するための取付部材１１０が配置されている。取付部材１１０により前面板１０１が支持されることにより、表示パネル１０３Ａが保持されている。
【先行技術文献】
【特許文献】
【０００４】
【特許文献１】特開２０１２−８８６０６号公報
【特許文献２】特開２０１２−３４２８９号公報
【発明の概要】
【発明が解決しようとする課題】
【０００５】
表示パネル１０３Ａのバックライト側に配置されたミドルシャーシ１０７は、表示パネル１０３Ａを背面から支持する役割と、光学シート類１０３Ｂを押さえる役割を担っている。そのためミドルシャーシ１０７は複雑な形状をしており、プラスチック等を材料とした樹脂成型で成型するのが望ましい。樹脂成型で部品を作成すると、反り等が発生しやすい。大型の画像表示装置の場合、ミドルシャーシ１０７も大型になり、樹脂成型のための金型も大きくなり、部品成型にかかるコストが大きくなってしまう。
【０００６】
本発明は上記課題に鑑みてなされたものであり、画像表示装置の部品形状を簡単にすることでコストを抑えることを目的とする。
【課題を解決するための手段】
【０００７】
本発明は、表示パネルと、
前記表示パネルへ照射する光を発する発光手段と、
前記発光手段と前記表示パネルとの間に配置される光学シートと、
前記表示パネルを保持する第１の保持手段と、
前記光学シートを保持する第２の保持手段と、
を備え、前記第１の保持手段と前記第２の保持手段とは別部材であることを特徴とする画像表示装置である。
【発明の効果】
【０００８】
本発明によれば画像表示装置の部品形状を簡単にすることでコストを抑えることができる。
【図面の簡単な説明】
【０００９】
【図１】実施例１の画像表示装置の正面図
【図２】実施例１のパネルユニットとバックライトユニットの分解斜視図
【図３】実施例１の画像表示装置の分解斜視図
【図４】実施例１の画像表示装置の断面図
【図５】実施例１のシートホルダの斜視図
【図６（ａ）】実施例１の画像表示装置の図１のＡ−Ａにおける断面図
【図６（ｂ）】実施例１の画像表示装置の図１のＢ−Ｂにおける断面図
【図７】実施例２の画像表示装置の正面図
【図８】実施例２のパネルユニットとバックライトユニットの分解斜視図
【図９】実施例２の画像表示装置の分解斜視図
【図１０】実施例２の光学シート類の分解斜視図
【図１１（ａ）】実施例２の画像表示装置の図７のＣ−Ｃにおける断面図
【図１１（ｂ）】実施例２の画像表示装置の図７のＤ−Ｄにおける断面図
【図１２】実施例３の画像表示装置の正面図
【図１３】実施例３の画像表示装置の分解斜視図
【図１４】実施例３の画像表示装置の断面図
【図１５】実施例４の画像表示装置の正面図
【図１６】実施例４の画像表示装置の断面図
【図１７】従来の画像表示装置の構造を示す要部断面図
【発明を実施するための形態】
【００１０】
（実施例１）
以下、本発明の実施例１について説明する。
図１は、本発明の実施例１の画像表示装置の正面図である。また、図２は、本発明の実施例１の画像表示装置の表示パネルユニットとバックライトユニットの分解斜視図である。
【００１１】
画像表示装置１は、正面から見た際に表示パネルユニット２の全体が見える構成であり、表示パネルユニット２の略中央部には、画像が表示される画像表示領域Ｄが存在する。画像表示領域Ｄは、後述する表示パネルの画像表示領域である。画像表示領域Ｄの外側には、表示パネルユニット２の裏面に遮光印刷領域２ａが存在する。表示パネルユニット２は、後述する前面板として青板ガラス又は強化ガラスを配置され、前面板は内部に位置する液晶パネルの画像を透過する。観察者は液晶パネルに表示される画像を前面板を通して観察することができる。表示パネルユニット２の画像表示領域Ｄの外側に位置する範囲は、前面板がガラス製であることから、遮光印刷領域２ａを設けることにより、内部が見えてしまわないようにしている。また、遮光印刷領域２ａを設けることにより、意匠性を持たせ、外観を向上させることができる。
【００１２】
図２により、画像表示装置１の構造を詳細に説明する。画像表示装置１は、前面側から、表示パネルユニット２とバックライトユニット３に分けることができる。表示パネルユニット２は、画像を表示させるデバイスを含む結合部品であり、バックライトユニット３は、表示パネルユニット２の画像表示面とは反対側から表示パネルユニット２へ光を照射
する面光源装置（発光装置）である。
【００１３】
図３は、本発明の実施例１の画像表示装置のさらに詳細な分解斜視図である。
画像表示装置１は、前面側から、表示パネルユニット２、バックライトユニット３からなる。表示パネルユニット２は、表示パネルモジュール２ＰＭ、フレーム２Ｆ、ヒートシンク２Ｈからなる。バックライトユニット３は、シートホルダ３Ｈ、光学シート３Ｓ、反射シート３Ｒ、光源基板３ＰＣＢ、ケース３Ｃから構成されている。
表示パネルモジュール２ＰＭの背面には、表示パネルモジュール２ＰＭを保持するためのフレーム２Ｆが接着され固定されている。フレーム２Ｆの上部背面にはヒートシンク２Ｈが配置されている。
【００１４】
バックライトユニット３の構成を説明する。バックライトユニット３の最前面側にはシートホルダ３Ｈが配置されている。シートホルダ３Ｈは、シート部材をプレスや切断することにより形成される。シートホルダ３Ｈは、その背面側に位置する光学シート３Ｓを保持する部材である。光学シート３Ｓは、シート状の部品であり、材質はＰＥＴ（polyethylene terephthalate）やＰＣ（polycarbonate）、厚さは０．数ｍｍ、たわみ易く、シー
トホルダ３Ｈにより、保持されている。
光学シート３Ｓの背面側には、反射シート３Ｒが配置されている。その背面側には光源基板３ＰＣＢとケース３Ｃが配置されている。ケース３Ｃは光源基板３ＰＣＢと反射シート３Ｒを収納する。
【００１５】
図４は、本発明の実施例１の画像表示装置の断面図である。
光源基板３ＰＣＢの上には光源３ＬＥＤが複数実装されている。光源３ＬＥＤは、発光ダイオード（以下ＬＥＤ、Light Emitting Diode）等の発光素子であり、複数配置されている。これによりバックライトユニット３は面光源装置として機能する。光源３ＬＥＤは、白色ＬＥＤであっても良いし、表示色域を拡大するために赤・緑・青を独立させたＲＧＢのＬＥＤであっても良い。また、光源としてはＬＥＤに限らず、冷陰極管（ＣＣＦＬ、Cold Cathode Fluorescent Lamp）を使用しても良い。光源３ＬＥＤから出射した光は、
光学シート３Ｓへ照射し、表示パネルモジュール２ＰＭを透過して画像を形成する。光学シート３Ｓは、厚みのある拡散板、光を拡散させる拡散シート、光を集光するレンズシート、光を偏光反射させる偏光反射シートで構成される場合が多い。光源３ＬＥＤから出射した光は、反射シート３Ｒで反射して光学シート３Ｓへ照射する。
【００１６】
図５は、本発明の実施例１のシートホルダ３Ｈの斜視図である。図６（ａ）は、図１のＡ−Ａにおける画像表示装置上部の断面図、図６（ｂ）は図１のＢ−Ｂにおける画像表示装置下部の断面図である。これらの図により、画像表示装置のシートホルダ３Ｈの構成及び構造について説明する。
【００１７】
前面板２Ｇは青板ガラス又は強化ガラス製である。前面板２Ｇは、その背面側に配置される表示パネル２Ｐに対して、図６（ａ）に示す透明接着剤２Ａａにより接着されている。透明接着剤２Ａａは、表示パネル２Ｐの表面に密着する紫外線硬化型の樹脂であり、前面板２Ｇを固定するための部品である。透明接着剤２Ａａは、無色透明、屈折率が１．５前後で、ガラス材に近い光学特性を有しており、画像の表示画質への影響が抑えている。
【００１８】
シートホルダ３Ｈは、略ロの字形状をしており、略中央部に開口部３Ｈａがある。シートホルダ３Ｈの枠上部分は平面形状の平面部３Ｈｂであり、その周囲に平面部３Ｈｂと後述のフランジ部３Ｈｅとの間の段差を形成する段差部３Ｈｄがある。段差部３Ｈｄの外周側には、段差部３Ｈｄと連続するフランジ部３Ｈｅがある。シートホルダ３Ｈの上部には、平面部３Ｈｂから折れ曲がって形成される屈曲部３Ｈｃがある。
シートホルダ３Ｈは、シート部材を加工することで形成される。シートホルダ３Ｈは、
例えば、ＰＥＴやＰＣ等の板状の部材に対しプレス加工や切削加工することにより形成される。金型を要する樹脂成型よりも安価に作成することができる。
【００１９】
図６（ａ）に示すように、表示パネルモジュール２ＰＭは、前面板２Ｇ、表示パネル２Ｐ、電気ケーブル２ＦＰＣ、駆動基板２ＰＣＢから構成されている。実施例１では、表示パネル２Ｐは、液晶パネルであるとする。なお、表示パネル２Ｐは液晶パネルに限らず、バックライトの光を透過することで画像を表示する表示パネル全般に本発明は適用できる。表示パネル２Ｐは、前面側のカラーフィルター基板２ＣＦと背面側のＴＦＴ基板２ＴＦＴからなる。カラーフィルター基板２ＣＦは、片面にカラーフィルターを形成したガラス基板の視認側表面に、上偏光板（図示せず）を貼り合せた構成の基板である。ＴＦＴ基板２ＴＦＴは、片面に電気配線を形成したガラス基板の視認側とは反対の面に、下偏光板（図示せず）を貼り合せた構成の基板である。両基板を向かい合わせ、両基板間に液晶を封入して周囲をシールし、さらにガラス基板の端子部に、後述する電気ケーブル２ＦＰＣを接続することで、表示パネル２Ｐは構成される。
【００２０】
電気ケーブル２ＦＰＣは、表示パネル２Ｐの端子部と後述の駆動基板２ＰＣＢとを電気的に接続しているＦＰＣ（Flexible Printed Circuits）であり、中央付近にＩＣを実装
している。
駆動基板２ＰＣＢは、表示パネル２Ｐへ画像信号と電力を供給するための電気回路であり、配線及び素子で構成されている。
【００２１】
フレーム２Ｆは、前面板２Ｇの背面側に、両面テープ２Ａｂにより、接着されている。フレーム２Ｆは、前面板２Ｇを保持するための部材であり、鋼板等の金属製の板をプレス加工等で加工して形成される。
フレーム２Ｆは断面が略Ｌ字形状であり、その曲げの内側には、ヒートシンク２Ｈが配置されている。ヒートシンク２Ｈは、電気ケーブル２ＦＰＣに実装されているＩＣを放熱するために配置されており、前述したＩＣと接触するように配置されている。
【００２２】
表示パネル２Ｐと前面板２Ｇとは透明接着剤２Ａａで固定されている。従来構造であれば、表示パネルを支持するために、樹脂成形のパネルホルダ等の部品が必要だったが、実施例１では表示パネル２Ｐは透明接着剤２Ａａで前面板２Ｇに固定されているため、そのような部品は必要ない。フレーム２Ｆと前面板２Ｇにより表示パネル２Ｐを保持する第１の保持手段を構成する。
【００２３】
光学シート３Ｓは、シートホルダ３Ｈの平面部３Ｈｂにより前面側へ倒れることが防止されている。シートホルダ３Ｈの下部では、段差部３Ｈｄにより光学シート３Ｓの自重が支持されている。シートホルダ３Ｈは、上部において、屈曲部３Ｈｃからさらに屈曲した係止部３Ｈｆにて、ケース３Ｃの上部に引っ掛けることにより、固定されている。シートホルダ３Ｈは、下部において、ケース３Ｃとフランジ部３Ｈｅによりネジ止め（図示せず）等の方法で固定されている。
【００２４】
従来構造と比較すると、従来構造では表示パネルと光学シートを支持するために、樹脂成形のパネルホルダが必要であったが、実施例１では、表示パネル２Ｐが前面板２Ｇに固定されるため、パネルホルダが不要になった。従って、複雑な形状を有し樹脂成形する必要があるパネルホルダを用いる構造ではなく、光学シートのみ支持するための単純な形状を有しシート部材を加工することで形成できるシートホルダ３Ｈを有する構造とすることができる。シートホルダ３Ｈが第２の保持手段を構成する。これにより、従来構造と比較して、複雑な形状のパネルホルダを樹脂成形するための金型が不要となり、コスト削減が可能となる。
【００２５】
（実施例２）
以下、本発明の実施例２について説明する。
図７は、本発明の実施例２の画像表示装置の正面図である。図８は、本発明の実施例２の画像表示装置の分解斜視図である。
画像表示装置１２は、実施例１同様、表示パネルユニット２２が前面にあり、その裏面周囲には遮光印刷領域２２ａが配置される。表示パネルユニット２２の略中央部は画像表示領域Ｄである。
【００２６】
図８の分解斜視図で説明をすると、画像表示装置１２は、表示パネルユニット２２とバックライトユニット３２を有する。表示パネルユニット２２の背面側に、実施例１同様に、バックライトユニット３２が配置されている。
【００２７】
図９は、本発明の実施例２の画像表示装置を構成する表示パネルユニット２２とバックライトユニット３２の分解斜視図である。表示パネルユニット２２は実施例１の表示パネルユニット２と同様の構造である。バックライトユニット３２は、表示パネルモユニット２２側から、光学シート３２Ｓ、反射シート３Ｒが配置されている。反射シート３Ｒの背面側には光源基板３ＰＣＢが配置されている。反射シート３Ｒと光源基板３ＰＣＢを覆うようにケース３２Ｃが配置されている。ここで、実施例１と異なるのは、光学シート３２Ｓの前面側にシートホルダが配置されていないことである。
【００２８】
次に光学シート３２Ｓの構成について説明する。
図１０は本発明の実施例２の光学シート３２Ｓの分解斜視図である。図１１（ａ）は、図７におけるＣ−Ｃでの断面図である。図１１（ｂ）は、図７におけるＤ−Ｄでの断面図である。
光学シート３２Ｓは、拡散板類３２Ｋと最前面シート３２Ｄから構成される。拡散板類３２Ｋは、バックライト側から、拡散板、拡散シート、レンズシートの順にこれらの部材が配置されて構成される。各部材の役割は実施例１と同様である。また、拡散板類３２Ｋの構成は、バックライトからの光の拡散や集光が可能な構成であれば、上記の構成に限定されない。最前面シート３２Ｄは、例えば偏光反射シートで構成される。なお、偏光反射シートを用いない構成でも良く、その場合は、光学シート類が複数配置され、最前面シート３２Ｄはそのうちの最前面のシートを指すものとする。最前面シート３２Ｄは、平面部３２Ｄａと、その上部の折れ曲がった屈曲部３２Ｄｂで構成される。
【００２９】
図１１（ａ）より、光学シート３２Ｓのうち、最前面シート３２Ｄは、平面部３２Ｄａにより他の拡散板類３２Ｋを押さえることができる。ケース３Ｃの下部にはフランジ面３Ｃａとそれに連続した段差部３Ｃｂが形成されている。光学シート３２Ｓの一部（例えば最前面シート３２Ｄより背面側にある拡散板類３２Ｋ）は、段差部３Ｃｂ上に設置され、その下端部は段差部３Ｃｂで支持されている。
最前面シート３２Ｄの下端部は、ケース３Ｃのフランジ部３Ｃａに対してネジ止め（図示せず）等で固定されることにより、光学シート３２Ｓの倒れが防止される。なお、最前面シート３２Ｄの下端部をフランジ部３Ｃａに対して固定する方法はネジ止めに限らない。
【００３０】
以上の実施例２の構造によれば、光学シート３２Ｓの最前面シート３２Ｄをバックライトのケースへ直接固定することで、光学シートを支持することができるので、実施例１で説明した光学シートを支持するためのシートホルダを省略することができる。よって、さらに構造を簡略化することができ、画像表示装置のコスト削減が可能である。
【００３１】
（実施例３）
以下、本発明の実施例３について説明する。
図１２は、本発明の実施例３の画像表示装置の正面図である。図１３は、本発明の実施例３の画像表示装置の分解斜視図である。図１４は、図１２におけるＥ−Ｅでの断面図である。
実施例３の画像表示装置１３は、実施例１及び実施例２とは異なり、表示パネルが前面板に接着されていない構造である。表示パネル２３Ｐの前面には、フレーム２３Ｆが配置され、フレーム２３Ｆの略中央は開口部２３Ｆａとなっている。画像表示装置１３の略中央部は画像表示領域Ｄとなっている。
【００３２】
画像表示装置１３の部品構成を図１３を用いて説明する。画像表示装置１３は、バックライトユニット３３の前面に、表示パネル２３Ｐと表示パネル２３Ｐを押さえるようにフレーム２３Ｆが配置されている。バックライトユニット３３は、表示パネル２３Ｐを背面から支持する、パネルホルダ３３ＰＨと、その背面側にシートホルダ３３Ｈが配置されている。さらにその背面側には光学シート３３Ｓが配置されている。実施例１同様に、光学シート３３Ｓの前面側にシートホルダ３３Ｈが配置されていることにより、光学シート３３Ｓの倒れが防止される。光学シート３３Ｓの背面側には、反射シート３３Ｒと光源基板３３ＰＣＢが設置されている。反射シート３３Ｒと光源基板３３ＰＣＢを収納するようにケース３３Ｃが配置されている。
【００３３】
図１４を用いて、実施例３の画像表示装置の構成について説明する。光学シート３３Ｓの前面側に配置されるシートホルダ３３Ｈの下部にある段差部３３Ｈｄにおいて、光学シート３３Ｓの自重が支持される。光学シート３３Ｓの前面側に対向する平面部３３Ｈｂにより、光学シート３３Ｓの前面側への倒れが防止される。シートホルダ３３Ｈのフランジ部３３Ｈｅと、ケース３３Ｃのフランジ部３３Ｃａとは対向しており、この部分においてネジ止め（図示せず）等によりシートホルダ３３Ｈはケース３３Ｃに固定されている。
シートホルダ３３Ｈの上部において、前面側から背面側へ伸びさらに屈曲して形成される係止部３３Ｈｆがケース３３Ｃのフランジ部３３Ｃａに引っかかることにより、シートホルダ３３Ｈはケース３３に固定される。
【００３４】
以上のように、実施例３によれば、表示パネルが前面板に接着されていない画像表示装置でも、シートホルダを使用した構造を適用することができる。このような構造とすることで、表示パネルを支持するパネルホルダと、光学シートを支持するシートホルダとを別部材とすることで、それぞれの部品形状の簡略化をすることができ、部品形成にかかるコストを抑制することが可能となる。
【００３５】
（実施例４）
以下、本発明の実施例４について説明する。
図１５は、本発明の実施例４の画像表示装置の正面図である。図１６は、図１５におけるＦ−Ｆでの断面図である。
実施例４の画像表示装置１４は、実施例１及び実施例２とは異なり、実施例３と同様に表示パネルが前面板に接着されていない構造である。表示パネル２４Ｐの前面にはフレーム２４Ｆが配置され、フレーム２４Ｆの略中央は開口部２４Ｆａとなっているている。画像表示装置１４のの略中央部は画像表示領域Ｄとなっている。
【００３６】
図１６により実施例４の構成を説明する。表示パネル２４Ｐを背面側から支持するパネルホルダ３４ＰＨの背面側に、光学シート３４Ｓが配置されている。光学シート３４Ｓは、拡散シート類３４Ｋと最前面シート３４Ｄで構成されている。拡散シート類３４Ｋは、光源基板３４ＰＣＢ上に実装されている光源３４ＬＥＤから出射される光を拡散させる拡散板や拡散シート、光を集光するレンズシートから成る。最前面シート３４Ｄは、偏光反射シートを使用するのが一般的であり、これにより光の輝度を上げる。なお、光学シート３４Ｓの構成は上記の例に限らない。
【００３７】
拡散シート類３４Ｋの下部は、ケース３４Ｃの下部に形成されている段差部３４Ｃｂに収納され、段差部３４Ｃｂにより拡散シート類３４Ｋの自重が支持されている。最前面シート３４Ｄの平面部３４Ｄａと、ケース３４Ｃのフランジ部３４Ｃａとは対向しており、これらはネジ止め（図示せず）等で固定されている。拡散シート類３４Ｋは最前面シート３４Ｄにより前面側への倒れが防止されている。最前面シート３４Ｄの上部には、平面部３４Ｄａから背面側に折れ曲がった屈曲部３４Ｄｂがあり、屈曲部３４Ｄｂがケース３４Ｃのフランジ部３４Ｃａに係止することで、光学シート３４Ｓが固定されている。
【００３８】
以上のように、実施例４では、光学シート３４の最前面シート３４Ｄの形状を上述したようにすることで、表示パネルを支持するパネルホルダを光学シートの支持に使用することなく光学シートの支持が可能である。これにより、パネルホルダが光学シートを支持するための構造を有しなくてよいので、形状を簡略化することができ、部品のコスト削減が可能である。
【００３９】
以上各実施例で説明したように、本発明では、表示パネルを支持する部材とは別に、光学シートを支持するシートホルダを有する構造とする。又は、光学シートの最前面のシートの形状をケースに係止可能な形状とする。これにより、表示パネルの支持と光学シートの支持との両方の機能を持たせた複雑な構造の部材を用いることなく画像表示装置を構成できるため、構成部材の簡略化が可能となり、コスト削減が可能とある。
【００４０】
以上の各実施例では、表示パネルの直下に光源がある直下型バックライトを有する画像表示装置へ本発明を適用した例を説明したが、表示パネルの表示領域の外周に光源があるエッジライト型バックライトを有する画像表示装置にも適用可能である。
【符号の説明】
【００４１】
１２、１３、１４        画像表示装置
２、２２、２３        表示パネルユニット
２Ｇ      前面板
２Ｆ    フレーム
２Ｐ      表示パネル
３        バックライトユニット
３Ｈ      シートホルダ
３Ｓ      光学シート
３Ｃ      ケース
【図１】
2015232651.tif 000003
【図２】
2015232651.tif 000004
【図３】
2015232651.tif 000005
【図４】
2015232651.tif 000006
【図５】
2015232651.tif 000007
【図６（ａ）】
2015232651.tif 000008
【図６（ｂ）】
2015232651.tif 000009
【図７】
2015232651.tif 000010
【図８】
2015232651.tif 000011
【図９】
2015232651.tif 000012
【図１０】
2015232651.tif 000013
【図１１（ａ）】
2015232651.tif 000014
【図１１（ｂ）】
2015232651.tif 000015
【図１２】
2015232651.tif 000016
【図１３】
2015232651.tif 000017
【図１４】
2015232651.tif 000018
【図１５】
2015232651.tif 000019
【図１６】
2015232651.tif 000020
【図１７】
2015232651.tif 000021